(57)【要約】      （修正有）【課題】導光板の異なる出光エリアが全て接近する色度を有し、導光板の出光色の均一性を改善した光源モジュールを提供する。【解決手段】光源モジュールは、カバー体と、少なくとも一つの反射層と、ライトバー及び少なくとも一つの光源を含む。カバー体は相対して配置される第一側壁及び第二側壁を有し、第一側壁及び第二側壁によって開口が形成される。反射層はカバー体内に形成され、且つ第一側壁及び第二側壁の内の何れの一つに隣接する。ライトバーはカバー体内に配置され、ライトバーと導光板の入光面は夾角を形成する。【選択図】図４
0003165773.tif 000002
【実用新案登録請求の範囲】
【請求項１】
光源モジュールであって、
第一側壁及び第二側壁を有し、前記第一側壁及び前記第二側壁によって開口を形成され、前記開口は導光板の入光面に面し、前記第一側壁と前記第二側壁は前記開口の相対する両側に位置するカバー体と、
前記カバー体内に形成され、且つ前記第一側壁及び前記第二側壁の内の何れの一つに隣接する少なくとも一つの反射層と、
前記カバー体内に配置され、且つ前記入光面と夾角を形成するライトバーと、
前記ライトバーにおいて前記開口に面する一側に設けられる少なくとも一つの光源と、を含み、
前記光源は、ΔCx(θ)＝Ｍax[Cx(θ)]- Min[Cx(θ)]> 0.025の式を満足し、
その内、前記光源は発光平面を有し、θは空間中の何れの一点から前記発光平面の中心までの連結線と前記発光平面の法的線との夾角であり、ΔCx(θ)は前記光源のＸ色度座標での差異値であり、Cx(θ)は角度θにおいて図ったＸ色度座標値であり、Ｍax[Cx(θ)]は角度θにおいて図ったＸ色度座標最大値であり、Min[Cx(θ)]は角度θにおいて図ったＸ色度座標最小値であることを特徴とする光源モジュール。
【請求項２】
前記光源モジュールは、前記第一側壁に隣接する第一反射層及び前記第二側壁に隣接する第二反射層を有し、前記第一反射層と前記第二反射層は大体平行することを特徴とする請求項１に記載の光源モジュール。
【請求項３】
前記第一側壁及び前記第二側壁の内の一つに屈曲部を有することを特徴とする請求項１に記載の光源モジュール。
【請求項４】
前記夾角は３０度より小さく、且つ１０度より大きいことを特徴とする請求項１に記載の光源モジュール。
【請求項５】
更に、前記第一側壁及び前記第二側壁を連結し、前記導光板の前記入光面に面する第三側壁を有することを特徴とする請求項１に記載の光源モジュール。
【請求項６】
前記光源は発光ダイオードであることを特徴とする請求項１に記載の光源モジュール。
【請求項７】
光源モジュールであって、
第一側壁及び第二側壁を有し、前記第一側壁及び前記第二側壁によって開口を形成され、前記開口は導光板の入光面に面し、前記第一側壁と前記第二側壁は前記開口の相対する両側に位置するカバー体と、
前記カバー体内に形成され、且つ前記第一側壁及び前記第二側壁の内の何れの一つに隣接する少なくとも一つの反射層と、
前記カバー体内に配置され、且つ前記入光面と夾角を形成するライトバーと、
前記ライトバーにおいて前記開口に面する一側に設けられる少なくとも一つの光源と、を含み、
前記光源は、ΔCy(θ)＝Ｍax[Cy(θ)]- Min[Cy(θ)]> 0.04の式を満足し、
その内、前記光源は発光平面を有し、θは空間中の何れの一点から前記発光平面の中心までの連結線と前記発光平面の法的線との夾角であり、ΔCy(θ)は前記光源のＹ色度座標での差異値であり、Cy(θ)は角度θにおいて図ったＹ色度座標値であり、Ｍax[Cy(θ)]は角度θにおいて図ったＹ色度座標最大値であり、Min[Cy(θ)] は角度θにおいて図ったＹ色度座標最小値であることを特徴とする光源モジュール。
【請求項８】
前記光源モジュールは、前記第一側壁に隣接する第一反射層及び前記第二側壁に隣接する第二反射層を有し、前記第一反射層と前記第二反射層は大体平行することを特徴とする請求項７に記載の光源モジュール。
【請求項９】
前記第一側壁及び前記第二側壁の内の一つに屈曲部を有することを特徴とする請求項７に記載の光源モジュール。
【請求項１０】
前記夾角は３０度より小さく、且つ１０度より大きいことを特徴とする請求項７に記載の光源モジュール。
【請求項１１】
更に、前記第一側壁及び前記第二側壁を連結し、前記導光板の前記入光面に面する第三側壁を有することを特徴とする請求項７に記載の光源モジュール。
【請求項１２】
前記光源は発光ダイオードであることを特徴とする請求項７に記載の光源モジュール。
【考案の詳細な説明】
【技術分野】
【０００１】
本考案は光源モジュールに関する。
【背景技術】
【０００２】
図１は従来の光源モジュール１００の断面図である。図１を参照するに、光源モジュール１００はカバー体１０２と、ライトバー１０４及びライトバー１０４の表面に設けられた少なくとも一つの発光ダイオード１０６を含む。ライトバー１０４は導光板１１０の入光面１１０aに大体平行するようにカバー体１０２内に設置され、発光ダイオード１０６から出射された光束は両側の反射層１０８に反射されてから、導光板１１０の前端に進入する。図２の光路図に示されたように、ライトバー１０４は導光板の入光面１１０aに大体平行して設けられたため、黄色がかった白色光Ｉｙが導光板１１０に入射する角度αは約３５度乃至８０度である。従って、同じ距離内で、黄色がかった白色光Ｉｙの反射回数は青色がかった白色光Ｉｂより多く、黄色い光束は主に導光板１１０の前端に集中して反射され、導光板１１０の前端に黄色成分が多くなり、全体画面の色の均一度が悪くなる。
【０００３】
一方、図３を参照するに、台湾公開特許第ＴＷ200834178号には、エッジライト型バックライトモジュール２００が開示されている。その内、発光ダイオード２０２を搭載した反射シート２０４はカバー体の内壁２０６に傾斜して設けられ、反射シート２０４と導光板２０８の入光面２０８aに夾角γを有するようにして、発光ダイオード２０２から導光板２０８に進入する光束の光量を向上させた。しかしながら、このような反射シート２０４を傾斜して設置する設計は、光束の利用率を高めることはできるが、色の均一度を向上させる効果は得られない。
【考案の概要】
【考案が解決しようとする課題】
【０００４】
本考案は、導光板の異なる出光エリアが全て接近する色度を有し、導光板の出光色の均一性を有効に改善する光源モジュールを提供する。
【０００５】
本考案の他の目的と利点は、本考案によって開示される技術特徴から更に明らかになる。
【課題を解決するための手段】
【０００６】
上述の目的の一部又は全部又は他の目的を実現するために、本考案の実施例により提供する光源モジュールは、カバー体と、少なくとも一つの反射層と、ライトバー及び少なくとも一つの光源を含む。カバー体は相対して配置される第一側壁及び第二側壁を有し、第一側壁及び第二側壁によって開口が形成される。反射層はカバー体内に形成され、且つ第一側壁及び第二側壁の内の何れの一つに隣接する。ライトバーはカバー体内に配置され、ライトバーと導光板の入光面は夾角を形成する。光源はライトバーにおいて開口に面する一側に設けられ、光源の色度の差異は以下の式を満足する。
【０００７】
ΔCx(θ)＝Ｍax[Cx(θ)]-Min[Cx(θ)]> 0.025; 又は
ΔCy(θ)＝Ｍax[Cy(θ)]-Min[Cy(θ)]> 0.04。
その内、光源は発光平面を有し、θ角は空間中の何れの一点から発光平面の中心までの連結線と発光平面の法的線との夾角である場合、ΔCx(θ)は光源のＸ色度座標差異値であり、ΔCy(θ)は光源のＹ色度座標での差異値であり、Cx(θ)は角度θにおいて図ったＸ色度座標値であり、Ｍax[Cx(θ)]は角度θにおいて図ったＸ色度座標最大値であり、Min[Cx(θ)]は角度θにおいて図ったＸ色度座標最小値であり、Cy(θ)は角度θにおいて図ったＹ色度座標値であり、Ｍax[Cy(θ)]は角度θにおいて図ったＹ色度座標最大値であり、Min[Cy(θ)]は角度θにおいて図ったＹ色度座標最小値である。
【０００８】
本実施例において、光源モジュールは第一側壁に隣接する第一反射層及び第二側壁に隣接する第二反射層を有し、第一反射層と第二反射層は大体平行する。
【０００９】
本実施例において、ライトバーと導光板の入光面の夾角は３０度より小さく、且つ１０度より大きい。
【考案の効果】
【００１０】
本考案の実施例は少なくとも以下の利点の内の一つを有し、上述の各実施例の設計によって、ライトバーが一定の傾斜角度で配置される場合、黄色がかった白色光がより平行に近い角度で導光板に入射し、これにより黄色がかった白色光が導光板の前端において反射される回数を減少することができ、異なる色相の光束の導光板の前端における反射回数を接近させ、導光板の異なる出光エリアが全て接近する色度を有し、導光板の出光色の均一性を有効に改善できる。一方、ライトバーが傾斜してカバー体内に配置されるため、カバー体が占める空間及び導光板の厚さを減少できる。
本考案の上述及びその他の目的、特徴及び効果をより明らかにするために、以下は図面を参照しながら複数の実施例を詳細に説明する。
【図面の簡単な説明】
【００１１】
【図１】従来光源モジュールの断面図である。
【図２】図１の光源モジュールの光路を示す図である。
【図３】別の従来光源モジュールの断面図である。
【図４】本考案の実施例による光源モジュールの断面図である。
【図５】光源の色度の差異を定義するパラメータの説明図である。
【図６】光路を示す図で、本考案の実施例による色均一性を改善した効果を説明する。
【図７】Ａ―Ｆは光源モジュールの異なる配置の実施例を示す図である。
【考案を実施するための形態】
【００１２】
下記の各実施例に対する説明は、添付された図面を参考しながら本考案の実施形態を例示する特定実施例である。本考案に記載された方向の用語、例えば「上」、「下」、「前」、「後」、「左」、「右」等は単に図面における方向を参照したものに過ぎない。従って、記載された方向用語は本考案を説明するためのものであり、本考案を限定するものではない。
【００１３】
図４は本考案の実施例による光源モジュールの断面図である。図４を参照するに、光源モジュール１０は少なくともカバー体１２と、ライトバー１４及びライトバー１４の表面に設けられた少なくとも一つの光源１６（図４には発光ダイオードが例示されている）を含む。カバー体１２は第一側壁１２１及び第二側壁１２２を有し、第一側壁１２１及び第二側壁１２２によって開口Ｐを形成し、開口Ｐは導光板３２の入光面３２１に面し、第一側壁１２１及び第二側壁１２２は開口Ｐの相対する両側に位置する。また、光源モジュール１０は更に第一側壁１２１及び第二側壁１２２を連結する第三側壁１２３を有し、第三側壁１２３は導光板３２の入光面３２１に面する。光源１６はライトバー１４において開口Ｐに面する一側に設けられ、ライトバー１４はカバー体１２内に傾斜して設けられて、導光板３２の入光面３２１と夾角βを形成する。本実施例において、第一反射層２２はカバー体１２内に形成され、且つ第一側壁１２１に隣接し、第二反射層２４はカバー体１２内に形成され、且つ第二側壁１２２に隣接し、第一反射層２２と第二反射層２４は大体平行する。更に、第一側壁１２１又は第二側壁１２２は屈曲部Ｑを有する。また、本実施例に用いられる光源１６は発光ダイオードであり、光源１６の色度の差異は以下の式を満足する。
【００１４】
ΔCx(θ)＝Ｍax[Cx(θ)]-Min[Cx(θ)]> 0.025;  又は
ΔCy(θ)＝Ｍax[Cy(θ)]-Min[Cy(θ)]> 0.04。
【００１５】
図５を参照するに、仮に光源１６が発光平面１６１を有し、θは空間中の何れの一点Ｓから発光平面１６１の中心までの連結線と発光平面１６１の法的線Ｎとの夾角である場合、上記の式のΔCx(θ)は光源１６のＸ色度座標での差異値であり、ΔCy(θ)は光源１６のＹ色度座標での差異値であり、Cx(θ)は角度θにおいて図ったＸ色度座標値であり、Ｍax[Cx(θ)]は角度θにおいて図ったＸ色度座標最大値であり、Min[Cx(θ)]は角度θにおいて図ったＸ色度座標最小値であり、Cy(θ)は角度θにおいて図ったＹ色度座標値であり、Ｍax[Cy(θ)]は角度θにおいて図ったＹ色度座標最大値であり、Min[Cy(θ)] は角度θにおいて図ったＹ色度座標最小値である。
【００１６】
図６は光路を示す図で、本考案の実施例による色均一性を改善した効果を説明する。その内、実線はライトバーが傾斜して設けられた場合（導光板３２の入光面３２１と夾角βを有する）、黄色がかった白色光Iｙ’が導光板３２の前端に進入する経路を示し、破線は従来の設計の場合（図１のように、ライトバーと導光板３２の入光面３２１が平行して設けられる）、黄色がかった白色光Iｙが導光板３２の前端に進入する経路を示す。尚、上記の黄色がかった白色光Iｙ及びIｙ’は、ΔCx(θ)＞0.025又はΔCy(θ)＞0.04の色度座標差異範囲を有する光源から発出される光束である。図６のように、ライトバーが一定の傾斜角度を持って設けられる場合、黄色がかった白色光Iｙ’はより平行に近い角度で導光板３２に入射する。これにより、黄色がかった白色光Iｙ’が導光板３２の前端で反射される回数を減少することができ、異なる色相の光束に対して導光板３２の前端における反射回数を接近させることができる。そうすると、導光板３２の異なる出光エリアが全て接近する色度を有し、導光板３２の出光色の均一性を有効に改善できる。
【００１７】
一方、ライトバー１４がカバー体１２内に傾斜して設けられたため、カバー体１２が占める空間及び導光板３２の厚さを減少することができる。上記の実施例において、ライトバー１４と導光板３２の入光面３２１の夾角βは、３０度より小さく、且つ１０度より大きくして、過度の傾斜によって輝度に影響するのを避ける。
【００１８】
図７Ａ乃至図７Ｆは光源モジュールの異なる配置の実施例を示す図である。本考案は、ライトバー１４を傾斜してカバー体１２内に設置することで、色度の均一性を改善する効果が得られ、カバー体１２、ライトバー１４、反射層２２、２４及び導光板３２の間の相対的な配置については限定しない。例えば、反射層２２、２４はカバー体１２の上部（図７Ａ）、又はカバー体１２の底部（図７Ｂ）、或いはカバー体１２の上部と底部（図７Ｃ、図７Ｄ）に同時に形成することができ、ライトバー１４は左上から右下に向かって傾斜するように（図７Ａ、７Ｃ）、又は右上から左下に向かって傾斜するように（図７Ｂ、７Ｄ）配置することができる。更に、反射層２２は屈曲部を有しても（図７Ａ乃至７Ｄ）いいし、有しなくても（図７Ｅ、７Ｆ）いい。
【００１９】
本考案は上記の複数の実施例によって開示されるが、これらの内容に限定されず、本考案の精神及び範囲内で、当業者によって何れの変更及び修飾が可能であるため、本考案の保護範囲は特許請求の範囲を基準とする。一方、本考案の実施例又は請求項の範囲は何れも本考案により開示された目的又は利点又は特徴の全てを必ずしも実現する必要はない。また、要約部分と考案の名称は単に特許文献のサーチ作業を補助するためのものであり、本考案の権利範囲を限定するものではない。
【符号の説明】
【００２０】
１０      光源モジュール
１２      カバー体
１２１    第一側壁
１２２    第二側壁
１２３    第三側壁
１４      ライトバー
１６      光源
１６１    発光平面
２２      第一反射層
２４      第二反射層
３２      導光板
３２１    入光面
１００    光源モジュール
１０２    カバー体
１０４    ライトバー
１０６    発光ダイオード
１０８    反射層
１１０    導光板
１１０a    入光面
２００    エッジライト型バックライトモジュール
２０２    発光ダイオード
２０４    反射シート
２０６    カバー体内壁
２０８    導光板
２０８a    入光面
Ｉｙ、Ｉｙ’  黄色がかった白色光
Ib              青色がかった白色光
Ｐ          開口
Ｑ        屈曲部
α、β、γ、θ      夾角
【図１】
0003165773.tif 000003
【図２】
0003165773.tif 000004
【図３】
0003165773.tif 000005
【図４】
0003165773.tif 000006
【図５】
0003165773.tif 000007
【図６】
0003165773.tif 000008
【図７】
0003165773.tif 000009